(57)【要約】【課題】劇場を含めて、体育館などに設けられ、たとえば、間仕切り壁の搬送や立設などにも利用し得るようにする。【解決手段】展示物などを収納する収納空間Ａ１の上方および展示物などを展示などする展示空間Ａ２の上方に配在される簀の子１と、この簀の子１に架設されるレール２と、このレール２にローラ３１などの介在下に移動可能に連繋する台車３と、この台車３に保持されながら垂下する牽引体４１でバトン６を昇降可能に吊持するドラム機構４と、上記の台車３に保持されながら上記のレール２に噛合構造下に連繋してこの台車３を上記のレール２に副って走行させる駆動機構５とを有してなり、台車３がバトン６を吊持した状態で収納空間Ａ１の上方と展示空間Ａ２の上方との間を往復できるように設定されてなる。【選択図】　　　　図１
2004016330.tif 000002
【特許請求の範囲】
【請求項１】
展示物などを収納する収納空間の上方および展示物などを展示などする展示空間の上方に配在される簀の子と、この簀の子に架設されるレールと、このレールにローラなどの介在下に移動可能に連繋する台車と、この台車に保持されながら垂下する牽引体でバトンを昇降可能に吊持するドラム機構と、上記の台車に保持されながら上記のレールに噛合構造下に連繋してこの台車を上記のレールに副って走行させる駆動機構とを有してなり、台車がバトンを吊持した状態で収納空間の上方と展示空間の上方との間を往復できるように設定されてなることを特徴とするバトン装置
【請求項２】
簀の子が垂下される牽引体の臨在を許容すると共に臨在される牽引体の移動を許容する連続隙間を有してなる請求項１に記載のバトン装置
【請求項３】
ドラム機構がそれぞれ牽引体を垂下させる複数のドラムと、この複数のドラムを同期作動させる単一の駆動源とを有してなる請求項１に記載のバトン装置
【請求項４】
駆動機構が噛合構造を構成しながら回転するスプロケットを有する一方で、このスプロケットと共に噛合構造を構成しながらスプロケットを噛合させるラック軸をレールに連繋させてなる請求項１に記載のバトン装置
【発明の詳細な説明】
【０００１】
【発明の属する技術分野】
この発明は、バトン装置の改良に関する。
【０００２】
【従来技術とその課題】
たとえば、劇場の舞台上方に設けられるバトン装置は、舞台面に向けて投光するライトや舞台上の音声を拾うマイク、さらには、舞台の奥壁に沿うように垂下されるホリゾント幕などを吊持したり保持したりするために設けられている。
【０００３】
一方、近年の体育館などは、種々のイベントの開催などを可能にするように多用途構造に形成されていることが多く、したがって、この体育館などに設けられるバトン装置にあっては、たとえば、間仕切り壁の搬送や立設などにも利用し得るように構成されるのが好ましいとされている。
【０００４】
しかしながら、未だ、近年の体育館などで、バトン装置が間仕切り壁の搬送や立設なども可能にする構成とされていることはなく、その提供が望まれているのが実状である。
【０００５】
この発明は、このような現状を鑑みて創案されたものであって、その目的とするところは、劇場を含めて、体育館などに設けられ、たとえば、間仕切り壁の搬送や立設などにも利用し得るようにして、その汎用性の向上を期待するのに最適となるバトン装置を提供することである。
【０００６】
【課題を解決するための手段】
上記した目的を達成するために、この発明によるバトン装置の構成を、基本的には、展示物などを収納する収納空間の上方および展示物などを展示などする展示空間の上方に配在される簀の子と、この簀の子に架設されるレールと、このレールにローラなどの介在下に移動可能に連繋する台車と、この台車に保持されながら垂下する牽引体でバトンを昇降可能に吊持するドラム機構と、上記の台車に保持されながら上記のレールに噛合構造下に連繋してこの台車を上記のレールに副って走行させる駆動機構とを有してなり、台車がバトンを吊持した状態で収納空間の上方と展示空間の上方との間を往復できるように設定されてなるとする。
【０００７】
それゆえ、バトンに展示物などを吊持させた状態の台車を駆動機構によってレールに副って走行させることで、展示物などを収納空間と展示空間との間で移動させることが可能になり、ドラム機構によって展示物などを収納空間および展示空間に戻したり降ろしたり、あるいは、収納空間および展示空間から取り出したり撤去するなどを自在に実現し得ることになる。
【０００８】
このとき、収納空間および展示空間の上方に配在される簀の子は、一体に連結されていても良く、あるいは、分離されていても良い。
【０００９】
また、台車は、駆動機構を保持すると共に複数のドラム機構を保持することからして、レールに副って長く形成されるのが良く、この場合には、収納空間および展示空間の上方に配在される簀の子が分離されていても、レールを介してであるが、両方の簀の子間における台車の円滑な走行が可能になる。
【００１０】
そして、上記した構成において、より具体的には、簀の子が垂下される牽引体の臨在を許容すると共に臨在される牽引体の移動を許容する連続隙間を有してなるとする。
【００１１】
また、ドラム機構がそれぞれ牽引体を垂下させる複数のドラムと、この複数のドラムを同期作動させる単一の駆動源とを有してなるとする。
【００１２】
さらに、駆動機構が噛合構造を構成しながら回転するスプロケットを有する一方で、このスプロケットと共に噛合構造を構成しながらスプロケットを噛合させるラック軸をレールに連繋させてなるとする。
【００１３】
【発明の実施の形態】
以下に、図示した実施形態に基づいて、この発明を説明するが、この発明によるバトン装置は、図１に示すように、簀の子１と、レール２と、台車３と、ドラム機構４と、駆動機構５とを有してなり、台車３がバトン６を吊持した状態で収納空間Ａ１の上方と展示空間Ａ２の上方との間を往復できるように設定されている。
【００１４】
少し説明すると、まず、簀の子１は、詳しくは図示しないが、たとえば、格子状などに形成されていて、所定の機械的強度を有するように、すなわち、図示するところでは、バトン装置を構成するレール２以下の構成体を恒久的に支承し得る強度を有するように形成されてなるとしている。
【００１５】
ちなみに、図示しないが、劇場などにおいて、舞台上方などにバトン装置を設けるときには、多くの場合に、この簀の子１を配在するとしているから、既存の劇場などでも、この簀の子１を有する限りには、この発明によるバトン装置の具現化が可能になる点で有利となる。
【００１６】
ところで、この発明にあって、簀の子１は、展示物（図示せず）などを収納する収納空間Ａ１の上方および展示物などを展示などする展示空間Ａ２の上方に配在されるとしているが、上記したように、簀の子１は、元来、劇場の舞台上方などに配在されることからすれば、上記した収納空間Ａ１は、これに代えて、舞台上とされてもよく、また、展示空間Ａ２は、これに代えて、客席とされても良いことはもちろんである。
【００１７】
また、上記の簀の子１にあっては、図示するところでは、収納空間Ａ１の上方に配在される簀の子１と、展示空間Ａ２の上方に配在される簀の子１とが分離されているが、これは、両空間Ａ１，Ａ２間に両空間Ａ１，Ａ２を隔てる昇降壁Ｗを有することによる。
【００１８】
それゆえ、上記の昇降壁Ｗを有しない場合には、簀の子１が両空間Ａ１，Ａ２に亙るいわゆる一体物に形成されてなるとしても良いことはもちろんで、この場合には、後述するレール２の敷設たる架設が容易になると共に、このレール２に副っての台車３の円滑な走行を実現し得ることになる点で有利となる。
【００１９】
以上からすれば、上記した簀の子１は、後述するドラム機構４からが垂下される牽引体４１の臨在を許容すると共に、この臨在される牽引体４２の移動を許容する連続隙間Ｓを有してなる。
【００２０】
それゆえ、図示しないが、たとえば、牽引体４２を可能な限りに巻上げる場合には、この連続隙間Ｓ内にバトン６を臨在させ得ることになり、その結果、たとえば、バトン６を収納空間Ａ１の上方に移動させなくても、下方の展示空間Ａ２からバトン６を容易に看取させないことが可能になる。
【００２１】
なお、上記の簀の子１は、図２に示すように、下方に天井板１１を吊持する状態にして展設しており、したがって、たとえば、下方の展示空間Ａ２から簀の子１を容易に看取させないことが可能になる。
【００２２】
レール２は、上記した簀の子１に架設されて後述する台車３を走行させるもので、図示するところでは、上下のフランジ部２ａ，２ｂを幅広にして、台車３の円滑な走行を実現容易にし、また、後述する駆動機構５の作動を保障し易いように配慮している。
【００２３】
このとき、このレール２は、図示するところでは、Ｉ型鋼からなるとしているが、上下のフランジ部２ａ，２ｂを幅広にすることからすれば、Ｈ型鋼からなるとしても良く、Ｈ型鋼からなる場合には、このレール２を簀の子１上に安定状態に架設するのが容易になる点で有利となる。
【００２４】
なお、上記のレール２は、図示するところでは、簀の子１の上に敷設されてなるとしているが、このレール２が機能するところからすれば、これに代えて、図示しないが、簀の子１内に保持される態様で架設されるとしても良い。
【００２５】
そして、レール２が簀の子１内に保持される態様の場合には、後述する台車３の連繋状態について配慮することを含めて、簀の子１上の占有高さを小さくし得る点で有利となる。
【００２６】
台車３は、図２および図３に示すように、上記したレール２にローラ３１などの介在下に移動可能に連繋するもので、図示するところでは、レール２の架設方向に沿う長尺のテーブル状に形成されて、後述するドラム機構４および駆動機構５の保持を容易にしている。
【００２７】
このとき、この台車３は、ドラム機構４および駆動機構５を保持しながらの自己支持性を保障し得る強度を有するように形成されるとし、多くの場合に、軽量化を可能にし得るように型鋼を利用したフレーム構造に形成されるであろう。
【００２８】
そして、ローラ３１は、台車３に連設されたブラケット３２に枢着されながらレール２における下端側のフランジ部２ｂで転動し、このとき、レール２における上端側のフランジ部２ａで係止されていわゆる脱輪が阻止されるとしている。
【００２９】
なお、図示するところでは、台車３がいわゆる一体に形成されて長尺とされているが、この台車３が機能するところからすれば、図示しないが、適宜の長さに形成されたいわゆる短い台車が複数台連結されて長尺に形成されてなるとしても良い。
【００３０】
そして、台車３が短い台車を複数台連結して形成される場合には、前記したレール２が収納空間Ａ１の上方と展示空間Ａ２の上方との間で切れずに連続していることを前提にするが、この連続するレール２がカーブしている場合でもその利用が可能になる点で有利となる。
【００３１】
ドラム機構４は、上記した台車３に保持されながら垂下する牽引体４１でバトン６を昇降可能に吊持するもので、それぞれ牽引体４１を垂下させる複数のドラム４２を一基の駆動源４３で同期作動し得るように設定されてなるとしている。
【００３２】
それゆえ、この発明にあっては、牽引体４１が同期して上下し得ることになるから、バトン６を傾斜させた状態で上下動させる不具合をあらかじめ回避できることになる。
【００３３】
このとき、図示するところでは、駆動源４３とドラム４２間、および、各ドラム４２間がドライビングシャフト４４で連結されるとしている。
【００３４】
また、ドライビングシャフト４４と駆動源４３あるいはドラム４２との連結部には、たとえば、ユニバーサルジョイント４５（図３参照）が配在されていて、仮に、ドライビングシャフト４４の駆動源４３あるいはドラム４２に対する円滑な回動を保障し得るとしている。
【００３５】
駆動機構５は、前記した台車３に保持されながら同じく前記したレール２に噛合構造下に連繋して、その作動時にこの台車３を上記のレール２に副って走行させるとしている。
【００３６】
それゆえ、この駆動機構５は、台車３をレール２に副って走行させ得る限りには、自由な構成に設定されて良いが、図示するところでは、噛合構造を構成しながら回転するスプロケット５１を有する一方で、このスプロケット５１と共に噛合構造を構成しながらスプロケット５１を噛合させるラック軸５２を前記したレール２に連繋させてなるとしている。
【００３７】
このとき、図示するところでは、前記したように、レール２が上方のフランジ部２ａを幅広に形成してなるとするから、上記のラック軸５２を連繋するのが容易になる点で有利となる。
【００３８】
また、上記のスプロケット５１は、台車３に保持された駆動源５３によって駆動されるとしており、この駆動源５３は、電動モータを有してなり、いたずらな騒音発生を防止している。
【００３９】
以上のように、この発明における駆動機構５がスプロケット５１とこれを噛合させるラック軸５２とで噛合構造を構成するから、台車３がレール２に対してスリップせず、バトン６の設定通りのいわゆる往復が実現され易くなる点で有利となる。
【００４０】
以上からすれば、この発明によるバトン装置にあっては、バトン６に展示物などを吊持させた状態の台車３を駆動機構５によってレール２に副って走行させることで、展示物などを収納空間Ａ１と展示空間Ａ２との間で移動させることが可能になる。
【００４１】
そして、ドラム機構４の作動で展示物などを収納空間Ａ１および展示空間Ａ２に戻したり降ろしたり、あるいは、収納空間Ａ１および展示空間Ａ２から取り出したり撤去するなどを自在に実現し得ることになる。
【００４２】
前記したところは、この発明によるバトン装置が駆動機構５の駆動で台車３を移動させるとしているが、台車３を移動させることからすれば、たとえば、手動操作で台車３を移動し得るとしても良い。
【００４３】
特に、収納空間Ａ１や展示空間Ａ２がいわゆる小さい場合には、駆動機構５を利用するよりもいわゆるコンパクトになり、設置する上で、また、維持していく上で、経済的にも有利となる。
【００４４】
【発明の効果】
以上のように、請求項１の発明にあっては、バトンに展示物などを吊持させた状態の台車を駆動機構によってレールに副って走行させることで、展示物などを収納空間と展示空間との間で移動させ得ることになる。
【００４５】
そして、ドラム機構の作動で展示物などを収納空間および展示空間に戻したり降ろしたり、あるいは、収納空間および展示空間から取り出したり撤去するなどを自在に実現し得ることになる。
【００４６】
そして、請求項２の発明にあっては、牽引体を台車の走行に、すなわち、ドラムの移動に合わせて移動し得るのはもちろんのこと、可能な限りに牽引体を巻上げる場合には、連続隙間内にバトンを臨在させ得ることになり、その結果、たとえば、バトンを収納空間の上方に移動させなくても、下方の展示空間からバトンを容易に看取させないようにし得ることになる。
【００４７】
また、請求項３の発明にあっては、牽引体が同期して上下し得るから、バトンを傾斜させた状態で上下動させる不具合をあらかじめ回避できることになる。
【００４８】
さらに、請求項４の発明にあっては、台車がレールに対してスリップせず、したがって、バトンの設定通りのいわゆる往復を実現し易くなる。
【００４９】
その結果、この発明によれば、劇場を含めて、体育館などに設けられ、たとえば、間仕切り壁の搬送や立設などにも利用し得るようにして、その汎用性の向上を期待するのに最適となる。
【図面の簡単な説明】
【図１】この発明によるバトン装置が収納空間の上方と展示空間の上方にそれそれ移動されている状態を部分的に断面にして示す概略図である。
【図２】この発明によるバトン装置が簀の子上に架装されている状態を拡大して示す概略縦断面図である。
【図３】ドラム機構を構成するドラムがレール上に載置されている状態示す部分拡大概略図である。
【図４】駆動機構を図３と同様に示す図である。
【符号の説明】
１　簀の子
２　レール
２ａ，２ｂ　フランジ部
３　台車
４　ドラム機構
５　駆動機構
６　バトン
１１　天井板
３１　ローラ
３２　ブラケット
４１　牽引体
４２　ドラム
４３，５３　駆動源
４４　ドライビングシャフト
４５　ユニバーサルジョイント
５１　スプロケット
５２　ラック軸
Ａ１　収納空間
Ａ２　展示空間
Ｓ　連続隙間
【図１】
2004016330.tif 000003
【図２】
2004016330.tif 000004
【図３】
2004016330.tif 000005
【図４】
2004016330.tif 000006